(57)【特許請求の範囲】
【請求項１】
天井内に埋込可能な本体の下端に吹出口を備えた化粧パネルが設置され、この化粧パネルの中央開口の奥部に吸込空気を浄化するフィルタが配設され、上記中央開口の両側に吸込口を形成すべく当該中央開口をセンターパネルが塞ぎ、このセンターパネルと上記フィルタとが一体となって、複数本の吊りロープにより上記化粧パネルに対し昇降可能に設けられた天井埋込型空気調和装置において、
上記センターパネルの短手方向に対向する上記吊りロープの一端は、スプリングを介して連結して構成され、前記化粧パネルの中央開口の長手方向の略中央位置に昇降手段が設置され、この昇降手段において、前記複数の吊りロープのうち、前記センターパネルの同一の長辺を支持する各吊りロープの他端が各長辺毎に互いに隣接する位置で巻き上げられることを特徴とする天井埋込型空気調和装置。
【請求項２】
上記スプリングの両端に連結部材が設けられ、この連結部材に吊りロープの先端が係脱自在に構成されたことを特徴とする請求項１に記載の天井埋込型空気調和装置。
【請求項３】
上記センターパネルには、その短手方向に対向する位置に、吊りロープに接触して当該吊りロープの延出方向を変更する湾曲形状のロープ受け面を備えたロープガイドが設置されたことを特徴とする請求項１または２に記載の天井埋込型空気調和装置。
【請求項４】
上記ロープガイドにおけるロープ受け面には、吊りロープと接触する部分に凹凸が形成されたことを特徴とする請求項３に記載の天井埋込型空気調和装置。
【請求項５】
上記ロープガイドのロープ受け面には、その側方から吊りロープが引っ掛けられるよう構成されたことを特徴とする請求項３または４に記載の天井埋込型空気調和装置。
【請求項６】
上記ロープガイドは、スプリングの両端に設けられた連結部材に当接可能に設けられて、上記スプリングの過剰な伸長を防止し得るよう構成されたことを特徴とする請求項３乃至５のいずれかに記載の天井埋込型空気調和装置。
【請求項７】
上記センターパネルの短手方向に対向する吊りロープは、上記センターパネルとフィルタとの間を通り、スプリングにて連結されたことを特徴とする請求項１乃至６のいずれかに記載の天井埋込型空気調和装置。
【発明の詳細な説明】
【０００１】
【発明の属する技術分野】
本発明は、二方向カセット型の天井埋込型空気調和装置の改良に関する。
【０００２】
【従来の技術】
一般に、天井内に埋設される本体の下端に、吹出口を有する化粧パネルを設け、この化粧パネルの中央開口の奥部にはフィルタを設け、前記開口の前部には両側に吸込口を残すように板金製のセンターパネルを設けた天井埋込型空気調和装置が知られている。
【０００３】
この種のものでは、例えばフィルタを交換、清掃等する場合、センターパネルを外してフィルタを取り外し、このフィルタを清掃してから再び清掃済みのフィルタを取り付け、その後にセンターパネルを取り付けるようにしている。しかしながら、従来の構成では、フィルタを取り外す時に、ごみが落下するので衛生上好ましくなく、またフィルタの取り外しは高所での作業となるので、安全上好ましくない。
【０００４】
これを解消するために、フィルタと一体的に吊りロープを用いてセンターパネルを昇降自在に形成し、フィルタを交換する時にはセンターパネルをフィルタごと下降させて、このフィルタを低所で交換できるようにした天井埋込型空気調和装置が提案されている。
【０００５】
【発明が解決しようとする課題】
上述のように、吊りロープを用いてセンターパネル及びフィルタを昇降させる空気調和装置では、センターパネルが上昇してフィルタが化粧パネルの中央開口奥部に装着される際に、センターパネルが傾いて、フィルタまたはセンターパネルが化粧パネルに片当りする事態が発生しうる。このように、フィルタまたはセンターパネルが片当りした状態でセンターパネル等が更に上昇すると、センターパネルまたはフィルタに過大な力が作用して、これらのセンターパネルまたはフィルタが変形してしまう恐れがある。
【０００６】
本発明の目的は、上述の事情を考慮してなされたものであり、フィルタと一体に昇降可能なセンターパネルが傾いて上昇し収納されることを、簡単な構造で良好に防止することができる天井埋込型空気調和装置を提供することにある。
【０００７】
【課題を解決するための手段】
請求項１に記載の発明は、天井内に埋込可能な本体の下端に吹出口を備えた化粧パネルが設置され、この化粧パネルの中央開口の奥部に吸込空気を浄化するフィルタが配設され、上記中央開口の両側に吸込口を形成すべく当該中央開口をセンターパネルが塞ぎ、このセンターパネルと上記フィルタとが一体となって、複数本の吊りロープにより上記化粧パネルに対し昇降可能に設けられた天井埋込型空気調和装置において、上記センターパネルの短手方向に対向する上記吊りロープの一端は、スプリングを介して連結して構成され、前記化粧パネルの中央開口の長手方向の略中央位置に昇降手段が設置され、この昇降手段において、前記複数の吊りロープのうち、前記センターパネルの同一の長辺を支持する各吊りロープの他端が各長辺毎に互いに隣接する位置で巻き上げられることを特徴とする。
【０００８】
請求項２に記載の発明は、請求項１に記載の発明において、上記スプリングの両端に連結部材が設けられ、この連結部材に吊りロープの先端が係脱自在に構成されたことを特徴とするものである。
【０００９】
請求項３に記載の発明は、請求項１または２に記載の発明において、上記センターパネルには、その短手方向に対向する位置に、吊りロープに接触して当該吊りロープの延出方向を変更する湾曲形状のロープ受け面を備えたロープガイドが設置されたことを特徴とするものである。
【００１０】
請求項４に記載の発明は、請求項３に記載の発明において、上記ロープガイドにおけるロープ受け面には、吊りロープと接触する部分に凹凸が形成されたことを特徴とするものである。
【００１１】
請求項５に記載の発明は、請求項３または４に記載の発明において、上記ロープガイドのロープ受け面には、その側方から吊りロープが引っ掛けられるよう構成されたことを特徴とするものである。
【００１２】
請求項６に記載の発明は、請求項３乃至５のいずれかに記載の発明において、上記ロープガイドは、スプリングの両端に設けられた連結部材に当接可能に設けられて、上記スプリングの過剰な伸長を防止し得るよう構成されたことを特徴とするものである。
【００１３】
請求項７に記載の発明は、請求項１乃至６のいずれかに記載の発明において、上記センターパネルの短手方向に対向する吊りロープは、上記センターパネルとフィルタとの間を通り、スプリングにて連結されたことを特徴とするものである。
【００１４】
請求項１に記載の発明には、次の作用がある。
【００１５】
センターパネルの短手方向に対向する吊りロープがスプリングを介して連結して構成されたことから、センターパネル及びフィルタが傾いて上昇し化粧パネルの中央開口に収納されるとき、センターパネル及びフィルタにおける傾いて上方側の吊りロープに作用する巻き上げ力によってスプリングが伸長し、傾いて下方側の吊りロープが巻き上げられて、センターパネル及びフィルタは水平状態に修正され、化粧パネルの中央開口に収納される。この結果、センターパネル及びフィルタが傾いて上昇した場合にも、これらを化粧パネルの中央開口に水平状態で良好に収納させることができる。
【００１６】
また、センターパネルの短手方向に対向した吊りロープがスプリングを介して連結されたので、吊りロープを巻き上げ繰り出す昇降駆動装置にクラッチ機構を装備する必要がない。このため、簡単な構造で、センターパネル及びフィルタを化粧パネル内に水平状態で良好に収納させることができる。
【００１７】
請求項２に記載の発明には、次の作用がある。
【００１８】
スプリングの両端に設けられた連結部材に吊りロープの先端が係脱自在に構成されたことから、吊りロープとスプリングとの取り付け取り外しを容易に実施できる。
【００１９】
請求項３に記載の発明には、次の作用がある。
【００２０】
センターパネルには、その短手方向に対向する位置に、吊りロープに接触して当該吊りロープの延出方向を変更する湾曲形状のロープ受け面を備えたロープガイドが設置されたことから、当該吊りロープの延出方向を滑車を用いて変更する場合に比べ、部品構成を簡素化できる。
【００２１】
請求項４に記載の発明には、次の作用がある。
【００２２】
ロープガイドにおけるロープ受け面には、吊りロープと接触する部分に凹凸が形成されたことから、この凹凸によって、ロープ受け面と吊りロープとの接触面積を減少できるので、吊りロープとロープガイドとの摩擦抵抗を低減できる。
【００２３】
請求項５に記載の発明には、次の作用がある。
【００２４】
ロープガイドのロープ受け面には、その側方から吊りロープが引っ掛けられるよう構成されたことから、センターパネルの短手方向に対向した吊りロープがスプリングを用いて連結された状態で、この吊りロープをロープガイドに着脱することができる。この結果、センターパネルの短手方向に対向した吊りロープの連結を解除することなく、センターパネルを簡単に取り付け取り外すことができる。
【００２５】
請求項６に記載の発明には、次の作用がある。
【００２６】
ロープガイドが、スプリングの両端に設けられた連結部材に当接可能に設けられて、スプリングの過剰な伸長を防止し得るよう構成されたことから、ロープガイドがスプリングの過剰伸長防止機能を果たすので、スプリングが過剰に伸長して元の長さに復帰しなくなることを未然に防止できる。
【００２７】
請求項７に記載の発明には、次の作用がある。
【００２８】
センターパネルの短手方向に対向する吊りロープが、センターパネルとフィルタとの間を通りスプリングにて連結されたことから、センターパネルの短手方向に対向する吊りロープが連結された状態であっても、フィルタの着脱の容易化を確保できる。
【００２９】
【発明の実施の形態】
以下、本発明の実施の形態を、図面に基づき説明する。
【００３０】
図１は、本発明に係る天井埋込型空気調和装置の一実施の形態を示す斜視図である。図２は、図１の天井埋込型空気調和装置の横断面図である。
【００３１】
図１において、符号１は天井内に埋設される箱形の本体を示している。この本体１の内部には、図２に示すように、熱交換器３、送風機５等が収納されている。本体１の下端には、両端に吹出口７を有する化粧パネル９が固定され、この化粧パネル９の中央開口の奥部には、板金製のフィルタ受け部材１１が嵌合されている。このフィルタ受け部材１１の受け部１１ａには吸込空気を浄化するフィルタ１３が当接可能とされる。また化粧パネル９の中央開口の前部には、両側に吸込口１５としての空間を残すように、板金製のセンターパネル１７が上記中央開口を塞ぐよう設けられる。
【００３２】
この板金製のセンターパネル１７には、図１に示すように、吸込空気を浄化する前述したフィルタ１３が支持されており、これらは一体となって、四本の吊りロープ１９を介して、化粧パネル９に昇降自在に吊持されている。
【００３３】
図２に示すように、センターパネル１７が吊りロープ１９の中央開口に収納され、フィルタ１３がフィルタ受け部材１１の受け部１１ａに当接した状態で、センターパネル１７の両側の吸込口１５から室内の空気が、図２の矢印のように吸い込まれる。すると、この空気はフィルタ１３を通って浄化され、送風機５に吸い込まれて吐出され、熱交換器３を通って熱交換された後、化粧パネル９の両端の吹出口７から室内へ吐出される。
【００３４】
図３に示すように、４本の吊りロープ１９は、それぞれの一端側が、センターパネル１７の４つのコーナ部のそれぞれに設置されたロープガイド２０に引っかけられて略直角に方向変換され、センターパネル１７の短手方向に対向する吊りロープ１９の一端側が、後述の如くスプリング２１を介して連結される。一方、４本の吊りロープ１９のそれぞれの他端側は上方へ延出され、化粧パネル９の中央開口周囲に設置された４個のローラ２２のそれぞれに巻き掛けられた後、略水平に延出されて昇降駆動装置２３に連結される。
【００３５】
この昇降駆動装置２３は、板金製のプレート２４に設置され、このプレート２４が、化粧パネル９の中央開口の長手方向略中央位置に設置される。従って、４本の吊りロープ１９は、略等しい長さに設定される。
【００３６】
昇降駆動装置２３は、図４に示すように、４個のプーリ２５を有し、各プーリ２５に各吊りロープ１９の他端が止着される。そして、４個のプーリ２５は、１本の駆動シャフト２６の両端部に２個づつ分けて、回転一体に固定される。この駆動シャフト２６は、図示しないギアを介して駆動モータ（不図示）に連結される。この駆動モータの正転または逆転により駆動シャフト２６が同様に正転または逆転駆動されて、吊りロープ１９がプーリ２５に巻き取られ、プーリ２５から繰り出され、センターパネル１７及びフィルタ１３が化粧パネル９に対し昇降可能に構成される。
【００３７】
ここで、各プーリ２５にはそれぞれに吊りロープ１９が同一方向に巻回されるが、隣接した２個のプーリ２５のうち、一方のプーリ２５の上縁から一の吊りロープ１９が引き出され、他方のプーリ２５の下縁から他の吊りロープ１９が引き出される。これにより、各プーリ２５によって各吊りロープ１９が、同時に巻き取り、または繰り出し可能に構成される。
【００３８】
ところで、図３に示すように、４本の吊りロープ１９のうち、センターパネル１７の短手方向に対向する吊りロープ１９の一端は、脚部２８を介してセンターパネル１７に支持されたフィルタ１３と上記センターパネル１７との間を通り、前述の如くスプリング２１及び連結部材としての連結金具２７を用いて係脱可能に連結される。
【００３９】
即ち、連結金具２７は、図５に示すように、平面視Ｌ字形状に形成され、先端部に形成された取付穴３０にスプリング２１のループ２９が挿通して、スプリング２１と一体化される。連結金具２７の基端部には当り面３１が形成されると共に、係止穴３２が開口される。更に、連結金具２７の基端部には、連結金具２７の一側縁部３３から係止穴３２へ向かって延びるスリット３４が形成される。
【００４０】
吊りロープ１９の一端側をスリット３４に通し、この吊りロープ１９の一端先端に固着された、例えば樹脂製のストッパ３５を係止穴３２に係合させることにより、吊りロープ１９と連結金具２７、ひいてはスプリング２１とが係脱可能に構成される。
【００４１】
図３に示すように、センターパネル１７の短手方向に対向する吊りロープ１９が、上述の如くスプリング２１を介して連結されることにより、センターパネル１７及びフィルタ１３の上昇時に、このセンターパネル１７及びフィルタ１３が短手方向に傾いて化粧パネル９の中央開口に収納される場合、センターパネル１７が傾いて上方側に位置した吊りロープ１９に昇降駆動装置２３から巻き取り力が作用するので、この巻き取り力によりスプリング２１が伸長する。スプリング２１が伸長される間に、センターパネル１７が傾いて下方側に位置した吊りロープ１９が巻き取られ、センターパネル１７及びフィルタ１３は、水平状態に修正されて化粧パネル９の中央開口内に収納される。
【００４２】
一方、前述の如く、センターパネル１７の４つのコーナ部にそれぞれ設置されたロープガイド２０は、センターパネル１７が矩形状であることから、センターパネル１７における短手方向に対向する位置に設置されることになる。これらのロープガイド２０は、図６に示すように、ロープ受け面３６及びロープ挿通孔３７を有し、ロープ受け面３６に、吊りロープ１９が摺動可能なロープ受け溝３８が形成される。
【００４３】
各ロープガイド２０は、図６〜図８に示すように、基台部３９、胴部４０及び頭部４１を備えてなり、基台部３９と胴部４０とが一体化され、胴部４０と頭部４１とが一体化される。胴部４０と頭部４１には、一側方に側面部４２が設けられ、他側方に挿通開口４３が形成されている。
【００４４】
基台部３９は、ロープガイド２０を化粧パネル９に、例えばビス等を用いて取り付けるためのものである。また、胴部４０は、ロープ挿通孔３７と共に当接面４４（後述）が形成される。更に、頭部４１に湾曲形状のロープ受け面３６が形成される。このロープ受け面３６に形成されたロープ受け溝３８が、吊りロープ１９に接触して、この吊りロープ１９の延出方向を略９０度に変更可能とする。
【００４５】
吊りロープ１９は、スプリング２１及び連結金具２７により連結された状態で、または連結されずに単独で、ロープガイド２０における挿通開口４３を通して、ロープガイド２０の側方からロープ受け面３６のロープ受け溝３８に引っ掛けられた後、ロープ挿通孔３７に挿通されて、ロープガイド２０により案内される。
【００４６】
上記ロープ受け溝３８には、図８（Ｂ）に示すように、その延在方向に亘って多数の凹凸４５が形成される。この凹凸４５により、ロープ受け溝３８が吊りロープ１９に接触する接触面積が減少されて、ロープ受け溝３８と吊りロープ１９との摩擦抵抗が低減される。
【００４７】
また、ロープガイド２０の胴部４０に形成された当接面４４は、スプリング２１が過剰に伸長した時に、スプリング２１の両側の連結金具２７における当り面３１が当接することにより、スプリング２１のそれ以上の過剰な伸長を防止するものである。つまり、例えば、センターパネル１７及びフィルタ１３が化粧パネル９から下降している時に、このセンターパネル１７に下方向の外力が作用するとスプリング２１が過剰に伸長するが、ロープガイド２０の当接面４４は、連結金具２７の当り面３１を当接させることにより、スプリング２１の過剰伸長を防止する機能を果たす。
【００４８】
従って、上記実施の形態によれば、次の効果▲１▼〜▲８▼を奏する。
【００４９】
▲１▼センターパネル１７の短手方向に対向する吊りロープ１９が、スプリング２１及び連結金具２７を介して連結して構成されたことから、センターパネル１７及びフィルタ１３が傾いて上昇し化粧パネル９の中央開口に収納される時、センターパネル１７及びフィルタ１３における傾いて上方側の吊りロープ１９に作用する巻き上げ力によってスプリング２１が伸長し、傾いて下方側の吊りロープ１９が巻き上げられて、センターパネル１７及びフィルタ１３は水平状態に修正され、化粧パネル９の中央開口に収納される。この結果、センターパネル１７及びフィルタ１３が傾いて上昇した場合にも、これらを化粧パネル９の中央開口に水平状態で良好に収納させることができる。
【００５０】
▲２▼センターパネル１７の短手方向に対向した吊りロープ１９がスプリング２１及び連結金具２７を介して連結されたので、吊りロープ１９を巻き上げ繰り出す昇降駆動装置２３にクラッチ機構を装着する必要がない。このため、簡単な構造で、センターパネル１７及びフィルタ１３を化粧パネル９内に水平状態で良好に収納させることができる。
【００５１】
▲３▼スプリング２１の両端に設けられた連結金具２７に吊りロープ１９の先端が、係止穴３２及びストッパ３５を用いて係脱自在に構成されたことから、吊りロープ１９とスプリング２１との取り付け取り外しを容易に実施できる。
【００５２】
▲４▼センターパネル１７には、その短手方向に対向する位置にロープガイド２０が設置され、このロープガイド２０は、湾曲形状のロープ受け面３６に形成されたロープ受け溝３８を備え、このロープ受け溝３８に吊りロープ１９が接触してその延出方向が変更されることから、当該吊りロープ１９の延出方向を滑車を用いて変更する場合に比べ、部品構成を簡素化できる。
【００５３】
▲５▼ロープガイド２０におけるロープ受け面３６のロープ受け溝３８には、吊りロープ１９と接触する部分に凹凸４５が形成されたことから、この凹凸４５によって、ロープ受け溝３８と吊りロープ１９との接触面積を減少できるので、吊りロープ１９とロープガイド２０との摩擦抵抗を低減できる。
【００５４】
▲６▼ロープガイド２０のロープ受け溝３８には、そのロープガイド２０の側方から挿通開口４３を通して吊りロープ１９が引っ掛けられるよう構成されたことから、センターパネル１７の短手方向に対向した吊りロープ１９がスプリング２１及び連結金具２７を用いて連結された状態で、この吊りロープ１９をロープガイド２０に着脱することができる。この結果、センターパネル１７の短手方向に対向した吊りロープ１９の連結を解除することなく、センターパネル１７を簡単に取り付け取り外すことができる。
【００５５】
▲７▼ロープガイド２０の当接面４４に、スプリング２１の両端に設けられた連結金具２７の当り面３１が当接可能に設けられて、スプリング２１の過剰な伸長を防止し得るよう構成されたことから、ロープガイド２０がスプリング２１の過剰伸長防止機能を果たすので、スプリング２１が過剰に伸長して元の長さに復帰しなくなることを未然に防止できる。
【００５６】
▲８▼センターパネル１７の短手方向に対向する吊りロープ１９が、センターパネル１７とフィルタ１３との間を通りスプリング２１及び連結金具２７にて連結されたことから、センターパネル１７の短手方向に対向する吊りロープ１９が連結された状態であっても、フィルタ１３のセンターパネル１７からの着脱の容易化を確保できる。
【００５７】
以上、本発明を上記実施の形態に基づいて説明したが、本発明はこれに限定されるものではない。
【００５８】
例えば、二方向カセット型の空気調和装置について説明したが、四方向カセット型のものにも適用は可能であり、またセンターパネルに限定されず、格子孔を有する吸込グリルの昇降装置にも適用は可能である。
【００５９】
【発明の効果】
以上のように、本発明に係る天井埋込型空気調和装置によれば、天井内に埋込可能な本体の下端に吹出口を備えた化粧パネルが設置され、この化粧パネルの中央開口の奥部に吸込空気を浄化するフィルタが配設され、上記中央開口の両側に吸込口を形成すべく当該中央開口をセンターパネルが塞ぎ、このセンターパネルと上記フィルタとが一体となって、複数本の吊りロープにより上記化粧パネルに対し昇降可能に設けられた天井埋込型空気調和装置において、上記センターパネルの短手方向に対向する上記吊りロープが、スプリングを介して連結して構成されたことから、フィルタと一体に昇降可能なセンターパネルが傾いて上昇し収納されることを、簡単な構造で良好に防止できる。
【図面の簡単な説明】
【図１】本発明に係る天井埋込型空気調和装置の一実施の形態を示す斜視図である。
【図２】図１の天井埋込型空気調和装置の横断面図である。
【図３】図１の天井埋込型空気調和装置における化粧パネル、センターパネル及びフィルタ等を示す斜視図である。
【図４】図３の昇降駆動装置の要部を示す斜視図である。
【図５】図３のスプリング及び連結金具等を示す分解斜視図である。
【図６】図３のロープガイドを示す斜視図である。
【図７】図６のロープガイドを示し、（Ａ）が平面図、（Ｂ）が正面図、（Ｃ）が裏面図、（Ｄ）が側面図である。
【図８】図６のロープガイドを示し、（Ａ）が図７（Ａ）のVIIIＡ矢視図であり、（Ｂ）が図７（Ａ）のVIIIＢ−VIIIＢ線に沿う断面図であり、（Ｃ）が図８（Ｂ）のVIIIＣ矢視図である。
【符号の説明】
１  本体
７  吹出口
９  化粧パネル
１３  フィルタ
１５  吸込口
１７  センターパネル
１９  吊りロープ
２０  ロープガイド
２１  スプリング
２３  昇降駆動装置
２７  連結金具
２９  ループ
３１  当り面
３２  係止穴
３４  スリット
３５  ストッパ
３６  ロープ受け面
３８  ロープ受け溝
４３  挿通開口
４４  当接面
４５  凹凸
【図１】
0003906017.tif 000002
【図２】
0003906017.tif 000003
【図３】
0003906017.tif 000004
【図４】
0003906017.tif 000005
【図５】
0003906017.tif 000006
【図６】
0003906017.tif 000007
【図７】
0003906017.tif 000008
【図８】
0003906017.tif 000009